(57)【要約】【課題】  実結合による連結形態は残しつつ、非発熱部位の発生を抑えた床暖房装置を提供し、またその簡単な改修方法も提供する。【解決手段】  パネル本体１１，２１に発熱体１２，２２を備えた床暖房パネル１，２が互いに実結合により連結される床暖房装置であって、第一の床暖房パネル１は、パネル本体１１の側方から発熱体１２を突出させ、この突出部１３を雄実部としており、第二の床暖房パネル２は、パネル本体２１の幅よりも発熱体２２を狭くしてパネル本体２１の側方へ開口した凹所２３を形成させ、これら雄実部としての突出部１３と第二床暖房パネルの雌実部としての凹所２３の実結合により、第一の床暖房パネル１および第二の床暖房パネル２が互いに連結される。【選択図】図１
2006118839.tif 000002
【特許請求の範囲】
【請求項１】
パネル本体に発熱体を備えた床暖房パネルが互いに実結合により連結される床暖房装置であって、第一の床暖房パネルは、パネル本体の側方から発熱体を突出させ、この発熱体突出部を雄実部としており、第二の床暖房パネルは、パネル本体の幅よりも発熱体を狭くしてパネル本体の側方へ開口した凹所を形成させ、この凹所を雌実部としており、これら雄実部としての発熱体突出部と雌実部としての凹所の実結合により、第一の床暖房パネルおよび第二の床暖房パネルが互いに連結されることを特徴とする床暖房装置。
【請求項２】
請求項１記載の床暖房装置を床暖房パネルの交換により改修する方法であって、交換対象の床暖房パネルを取り除いた後、第二の床暖房パネルを取り除いた位置を最後に残すようにして新たな床暖房パネルを取り付け、その最後に残した位置にて、左右の第一の床暖房パネルそれぞれの発熱体突出部の下方にその発熱体突出部を支える受け桟を設けた後、第二の床暖房パネルにおけるパネル本体の下方側部を除去した場合の形状と同じ形状を有する改修用の第三の床暖房パネルを、その除去した部分が前記受け桟間に嵌まるように取り付けることを特徴とする床暖房装置の改修方法。
【発明の詳細な説明】
【技術分野】
【０００１】
本願発明は、床暖房パネルを複数並設させてなる床暖房装置に関するものである。
【背景技術】
【０００２】
上記床暖房装置においては、しばしば各床暖房パネルを実結合により連結させている（たとえば特許文献１参照）。
【特許文献１】特開１１−１３２４８２号公報
【発明の開示】
【発明が解決しようとする課題】
【０００３】
しかしながら、通常、実部分はパネル基材に形成され、そこには発熱体が存在しないため、床暖房パネル間に実部分を含む非発熱部位が生じて、暖房エリア内での温度ばらつきの一因となっている。
【０００４】
そこで、以上のとおりの事情に鑑み、本願発明は、実結合による連結形態は残しつつ、非発熱部位の発生を抑えた床暖房装置を提供することを課題としている。また、この床暖房装置の改修をより簡単に行うことのできる改修方法を提供することも課題としている。
【課題を解決するための手段】
【０００５】
本願発明は、上記の課題を解決するものとして、第一には、パネル本体に発熱体を備えた床暖房パネルが互いに実結合により連結される床暖房装置であって、第一の床暖房パネルは、パネル本体の側方から発熱体を突出させ、この発熱体突出部を雄実部としており、第二の床暖房パネルは、パネル本体の幅よりも発熱体を狭くしてパネル本体の側方へ開口した凹所を形成させ、この凹所を雌実部としており、これら雄実部としての発熱体突出部と雌実部としての凹所の実結合により、第一の床暖房パネルおよび第二の床暖房パネルが互いに連結されることを特徴とする。
【０００６】
本願発明は、第二には、第一および第二の床暖房パネルのいずれか一方または両方を交換して請求項１記載の床暖房装置を改修する方法であって、交換対象の床暖房パネルを取り除いた後、第二の床暖房パネルを取り除いた位置を最後に残すようにして新たな床暖房パネルを取り付け、その最後に残した位置にて、左右の第一の床暖房パネルそれぞれの発熱体突出部の下方にその発熱体突出部を支える受け桟を設けた後、第二の床暖房パネルにおけるパネル本体の下方側部を除去した場合の形状と同じ形状を有する改修用の第三の床暖房パネルを、その除去した部分が前記受け桟間に嵌まるように取り付けることを特徴とする。
【発明の効果】
【０００７】
上記第一の発明によれば、第一の床暖房パネルの発熱体突出部そのものが雄実部となり、これが第二の床暖房パネルの雌実部としての凹所に挿入されることで、実結合部分に発熱体が存在して、非発熱部位の生じない実結合が実現され、暖房エリア内の温度ばらつきを効果的に抑制できるようになる。
【０００８】
上記第二の発明によれば、第一の床暖房パネルおよび第二の床暖房パネルを上記のとおりに実結合して一旦施工した後において、第一の床暖房パネルや第二の床暖房パネルを交換改修する必要が生じた場合であっても、上記のとおりに交換作業を行っていくことで、簡単に床暖房パネルを交換して床暖房装置の改修を行えるようになる。
【発明を実施するための最良の形態】
【０００９】
図１は、本願発明の一実施形態を示したものである。
【００１０】
この実施形態において、まず、第一の床暖房パネル１は、一対の矩形状の上パネル材１１ａおよび下パネル材１１ｂを貼り合わせたパネル本体１１と、パネル本体１１内に設けられる面状の発熱体１２とを有しており、発熱体１２をパネル本体１１の長手方向側面から外方へ延ばして突出させて、この突出部１３を雄実部としている。すなわち、パネル本体１１の上パネル材１１ａと下パネル材１１ｂの間に挟持されている発熱体１２の左右側端部（実結合側の端部）がパネル本体１１の左右側方から突出して、雄実部を形成しているのである。
【００１１】
これに対し、第二の床暖房パネル２は、一対の矩形状の上パネル材２１ａおよび下パネル材２１ｂを貼り合わせたパネル本体２１と、パネル本体２１内に設けられる面状の発熱体２２とを有しており、発熱体２２をパネル本体２１の側方幅よりも狭い幅のものとして、その狭くした部分に形成されるパネル本体２１の側方へ開口した凹所２３を雌実部としている。
【００１２】
より具体的には、図２に例示したように、パネル本体２１の上パネル材２１ａおよび下パネル材２１ｂそれぞれに、予め、発熱体２２の厚みの半分に相当する深さの収納凹所２４を、左右に渡って設けておく。そして、この収納凹所２４に、パネル本体２１の側方幅、つまり上パネル材２１ａおよび下パネル材２１ｂの短手方向の幅よりも狭い幅の発熱体２２を、左右端に帯状の凹みスペースを残すようにして納める。この左右の凹みスペースが、雌実部としての凹所２３となる。
【００１３】
もちろん、この凹所２３には後述するように第一の床暖房パネル１の雄実部である発熱体１２の突出部１３が挿入されて実結合が行われるので、凹所２３の奥行寸法は突出部１３の突出寸法に合わせたものとすることが好ましい。
【００１４】
また、図３に例示したように、第一の床暖房パネル１についても、同様に、パネル本体１１の上パネル材１１ａおよび下パネル材１１ｂそれぞれに、予め、発熱体１２の厚みの半分に相当する深さの収納凹所１４を、左右に渡って設けておき、この収納凹所１４に、パネル本体１１の左右幅、つまり上パネル材１１ａおよび下パネル材１１ｂの左右幅よりも広い幅の発熱体１２を、左右側方へ突出するようにして納める。この左右の突出部分が、雄実部としての突出部１３となる。
【００１５】
したがって、第一の床暖房パネル１と第二の床暖房パネル２は、上パネル材１１ａ，２１ａおよび下パネル材１１ｂ，２１ｂとして同じ形状のものを用いることができ、それらの間に挟持する発熱体１１，１２をそれぞれ上記のとおりの幅に形成したものとすればよい。
【００１６】
そして、図４にも例示したように、以上の第一の床暖房パネル１における雄実部としての発熱体１２の突出部１３と第二の床暖房パネル２における雌実部としての凹所２３とが実結合されて、隣接する第一の床暖房パネル１および第二の床暖房パネル２が互いに連結されることとなる。このとき、実結合部分には発熱体１２の突出部１３が存在し、且つ突出部１３は挿入先で第二の床暖房パネル２内の発熱体２２と隣り合うことになるので、非発熱部位のない実結合が実現される。
【００１７】
図４の例では、各第一の床暖房パネル１および第二の床暖房パネル２に通線路となる空間を設けてそこに配線具１５，２５等を組み込み（図５も参照）、電気結線して床暖房装置を構成している。
【００１８】
ところで、以上のとおりに連結された第一の床暖房パネル１および第二の床暖房パネル２からなる床暖房装置において、第一の床暖房パネル１や第二の床暖房パネル２を交換して改修する必要が生じた場合には、たとえば図６および図７に例示したように、交換対象の第一の床暖房パネル１や第二の床暖房パネル２を取り除いた後、第二の床暖房パネル２を取り除いた位置を最後に残すようにして新たな第一の床暖房パネル１や第二の床暖房パネル２を取り付け、その最後に残した位置にて、左右の第一の床暖房パネル１それぞれから突出している発熱体１２の突出部１３の下方にその突出部１３を支える受け桟４を設けた後、第二の床暖房パネル２におけるパネル本体２１の下方側部を除去した場合の形状と同じ形状を有する改修用の第三の床暖房パネル３を、その除去した部分が受け桟４間に嵌まるように取り付けることで、改修施工することができる。
【００１９】
より具体的には、まず、第一の床暖房パネル１を１枚交換する場合では、図６に例示したように、改修対象の第一の床暖房パネル１を取り除く。このとき、第一の床暖房パネル１はその隣の第二の床暖房パネル２と実結合されているので、第二の床暖房パネル２も一緒に取り除く。
【００２０】
続いて、取り除いた第一の床暖房パネル１の位置に、新たな第一の床暖房パネル１を設置する。これにより、第一の床暖房パネル１自体の交換は終了する。
【００２１】
この後、第二の床暖房パネル２を元に戻す必要があるが、第二の床暖房パネル２を取り除いた部分を間にして左右に対向する新たな第一の床暖房パネル１と他方の第一の床暖房パネル１（第二の床暖房パネル２の実側に隣接していたもの）それぞれからは、発熱体１２の突出部１３が突出しており、これら左右の突出部１３との実結合を再現させるようにして戻す必要がある。
【００２２】
そこで、まず、左右両側の第一の床暖房パネル１における発熱体１２の突出部１３の下方に、その突出部１３を支える受け桟４を設ける。そして、第二の床暖房パネル２を取り除いた位置にて、第二の床暖房パネル２におけるパネル本体２１の下方側部を除去した場合の形状と同じ形状を有する改修用の第三の床暖房パネル３を、その除去した部分が受け桟４間に嵌まるように取り付ける。
【００２３】
より具体的には、第三の床暖房パネル３については、上パネル材３１ａ及び下パネル材３１ｂを貼り合せたパネル本体３１、その間の収納凹所（図示なし）、それに納められた幅狭の発熱体３２、雌実部としての左右端の凹所３３などの基本構成は第二の床暖房パネル２と同じままに、下パネル材３１ｂの左右端部を第一の床暖房パネル１における発熱体１２の突出部１３の突出幅分だけ切り取るなどして除去した形状のものとする。これを、改修専用の別途のパネルとして用意するのである。
【００２４】
そして、この改修用の第三の床暖房パネル３を、取り外した第二の床暖房パネル２の代わりに設置する。このとき、パネル本体３１の裏面側に残った下パネル材３１ｂが受け桟４間に嵌まり、且つ上パネル材３１ａがその左右下端面にて受け桟４により受け支持されている発熱体１２の突出部１３上に載る。
【００２５】
これにより、第一の床暖房パネル１から突出している発熱体１２の突出部１３を上手く避けるとともに、その突出部１３を受け桟４と上パネル材３１ａの間で挟持し、再び実結合を実現して、第三の床暖房パネル３を設置できる。この第三の床暖房パネル３は、設置後、新たに第二の床暖房パネル２としての役割を担うのである。
【００２６】
このようにして、第二の床暖房パネル２の交換を伴う第一の床暖房パネル１の交換改修を、簡単に実現できる。
【００２７】
次に、第二の床暖房パネル２のみを交換する場合について説明すると、図７に例示したように、まず、改修対象の第二の床暖房パネル２を取り除き、その取り除いた位置にて（本ケースではこの位置が最後に残した位置と言える）、第二の床暖房パネル２の左右に隣接していた第一の床暖房パネル１における発熱体１２の突出部１３の下方に、その突出部１３を支える受け桟４を設ける。そして、前記と同様に、第二の床暖房パネル２におけるパネル本体２１の下方側部を除去した場合の形状と同じ形状を有する改修用の第三の床暖房パネル３を、その除去した部分が受け桟４間に嵌まるように取り付ける。
【００２８】
したがって、本ケースでは、改修用の第三の床暖房パネル３そのものが、新たな第二の床暖房パネル２として交換されることになる。もちろん、前記ケースと同様に、隣接する第一の床暖房パネル１との再実結合も行われて、簡単に第二の床暖房パネル２の交換改修が実現される。
【００２９】
なお、以上の図６，図７は、１枚の第一の床暖房パネル１または１枚の第二の床暖房パネル２を交換する場合のものであるが、第一の床暖房パネル１および第二の床暖房パネル２を含めて複数枚を交換する場合も考えられる。この場合では、交換対象のものを取り除いた後、第一の床暖房パネル１、第二の床暖房パネル２の順で取り付けて行き、最後の一枚を取り付ける位置が、第二の床暖房パネル２を取り除いた位置となるようにする。そして、この最後に残した位置にて、左右の第一の床暖房パネル１各々の側面から突出している発熱体１２の突出部１３の下方に受け桟４を設け、後は上記と同様に第三の床暖房パネル３を設置すればよい。
【図面の簡単な説明】
【００３０】
【図１】本願発明の一実施形態を示した斜視図。
【図２】第二の床暖房パネルを例示した分解斜視図。
【図３】第一の床暖房パネルを例示した分解斜視図。
【図４】本願発明の一実施形態を示した内部透視平面図。
【図５】第一，第二の床暖房パネルの断面図。
【図６】床暖房装置の改修について説明するための図。
【図７】床暖房装置の改修について説明するための別の図。
【符号の説明】
【００３１】
１  第一の床暖房パネル
１１  パネル本体
１１ａ  上パネル材
１１ｂ  下パネル材
１２  発熱体
１３  突出部（雄実部）
１４  収納凹所
１５  配線具
２  第二の床暖房パネル
２１  パネル本体
２１ａ  上パネル材
２１ｂ  下パネル材
２２  発熱体
２３  凹所（雌実部）
２４  収納凹所
２５  配線具
３  第三の床暖房パネル
３１  パネル本体
３１ａ  上パネル材
３１ｂ  下パネル材
３２  発熱体
３３  凹所（雌実部）
４  受け桟
【図１】
2006118839.tif 000003
【図２】
2006118839.tif 000004
【図３】
2006118839.tif 000005
【図４】
2006118839.tif 000006
【図５】
2006118839.tif 000007
【図６】
2006118839.tif 000008
【図７】
2006118839.tif 000009